(57)【要約】【課題】  モジュラー型防火フローリングを提供することである。【解決手段】  モジュラー型防火フローリングシステムは、複数の防火フローリング厚板を含む。各々の厚板は、通常、管状で排水チャンネルを形成する。フローリングシステムの上部表面上に漏洩された流体は、厚板の上部表面に形成された複数の排出口を介して排出することができる。厚板は、排水チャンネル内に漏洩された燃焼流体の燃焼を止めるように排水チャンネル中に配置される金属充填材を更に含むことができる。金属充填材は、燃焼している液体を分散させ、そこから熱を取り除くことができる。いくつかの実施形態において、パージング流体は、何らかの漏洩流体をパージするために厚板を介して流されることができる。【選択図】  なし
2016504505.tif 000002
【特許請求の範囲】
【請求項１】
モジュラー型防火フローリングシステムであって：
一般に矩形の管であるフローリング厚板を具備し、
前記フローリング厚板は、上部壁、下部壁および側壁を有し、
前記フローリング厚板の内部は、排水チャンネルを規定し、
前記上部壁は、形成された複数の排出口を有する、モジュラー型防火フローリングシステム。
【請求項２】
前記フローリング厚板は、前記フローリング厚板に沿った前記下部壁および前記上部壁と間に延びているウェブを更に具備し、
前記ウェブは、前記フローリング厚板の内部を２つの隣接の排水チャンネルに分け、
前記ウェブは、各々の排水チャンネルの側壁を規定している、請求項１のモジュラー型防火フローリングシステム。
【請求項３】
前記排水チャンネルの中に配置される金属充填材を更に具備する、請求項１のモジュラー型防火フローリングシステム。
【請求項４】
前記金属充填材は、発泡させ、穿孔されられた金属シートを具備する、請求項３のモジュラー型防火フローリングシステム。
【請求項５】
前記金属充填材は、金属の削りくず、カット、ワイヤ、断片および／またはチップの一つ以上の一まとまりを具備する、請求項３のモジュラー型防火フローリングシステム。
【請求項６】
前記金属充填材が前記金属充填材のバルクから前記金属充填材の個々の部分が分離するのを防ぐために配置される封じ込めメッシュを更に備える、請求項５のモジュラー型防火フローリングシステム。
【請求項７】
前記排水チャンネル内の前記側壁から延びている１つ以上の支持フランジを更に具備し、
前記支持フランジは、前記排水チャンネルの底部より上に前記金属充填材を支持するように配置される、請求項３のモジュラー型防火フローリングシステム。
【請求項８】
前記排水チャンネル内に延びている前記下部壁の上部表面に配置されるリブを更に具備し、
前記リブは、前記排水チャンネルの前記底部より上に前記金属充填材を支持するように配置される、請求項３のモジュラー型防火フローリングシステム。
【請求項９】
前記排出口は、前記フローリング厚板の前記上部壁の上部表面上の排水プロファイルを更に具備する、請求項１のモジュラー型防火フローリングシステム。
【請求項１０】
複数の排出口の排出口は、円形、矩形、長方形、または楕円形から選ばれる断面を有する、請求項１のモジュラー型防火フローリングシステム。
【請求項１１】
前記フローリング厚板の前記上部壁の上部表面は、前記上部表面に配置される流体が前記排出口内へと流れるのを促進するように配置される輪郭を具備する、請求項１のモジュラー型防火フローリングシステム。
【請求項１２】
前記フローリング厚板の前記上部壁の上部表面は、溝を具備し、
前記溝は、排出口と交差し、前記排出口内へと流体の流れを促進するように配置される、請求項１のモジュラー型防火フローリングシステム。
【請求項１３】
前記フローリング厚板の前記下部壁は、スロットを更に具備し、
前記スロットは、前記フローリング厚板の下のフロアに前記フローリング厚板を固定するための留め金具のヘッドを受け入れるように配置される、請求項１のモジュラー型防火フローリングシステム。
【請求項１４】
前記留め金具は、Ｔ−ボルトを具備する、請求項１３のモジュラー型防火フローリングシステム。
【請求項１５】
前記フローリング厚板は、内部に形成された冷却ダクトを更に具備する、請求項１のモジュラー型防火フローリングシステム。
【請求項１６】
前記フローリング厚板の前記上部壁の上部表面は、上方へ延びている隆起を具備する、請求項１のモジュラー型防火フローリングシステム。
【請求項１７】
前記隆起は、前記隆起によって提供される握りを増加させるように配置される複数の切欠きを更に備える、請求項１６のモジュラー型防火フローリングシステム。
【請求項１８】
複数の前記フローリング厚板は、隣接のフローリング厚板の前記側壁が隣接するようにフロアに配置される、請求項１のモジュラー型防火フローリングシステム。
【請求項１９】
マニホルドを更に具備し：
前記マニホルドは、複数のフローリング厚板の各々の一端に接続される一般に管状の部材であり、
前記マニホルドは、前記マニホルドの内部に接続されるポートを有し、
前記マニホルドの前記内部は、流体がマニホルドを介して前記ポートと前記複数のフローリング厚板の各々の排水チャンネルとの間を流れるように、前記複数のフローリング厚板の各々の排水チャンネルに接続される、請求項１８のモジュラー型防火フローリングシステム。
【請求項２０】
前記マニホルドは、入口マニホルドを規定し、
前記入口マニホルドは、前記ポートに接続された供給管からパージング流体の流れを受けるように配置され、及び、前記複数のフローリング厚板の各々の排水チャンネルにパージング流体を提供するように配置される、請求項１９のモジュラー型防火フローリングシステム。
【請求項２１】
前記供給管に接続されるパージング流体貯蔵タンクを更に具備する、請求項２０のモジュラー型防火フローリングシステム。
【請求項２２】
前記供給管に接続されるパージポンプを更に具備し、
前記パージポンプは、前記入口マニホルドへのパージング流体の流れを増加させるように配置される、請求項２０のモジュラー型防火フローリングシステム。
【請求項２３】
前記マニホルドは、排水マニホルドを規定し、
前記ポートは、前記排水管に接続され、
前記排水管は、前記排水マニホルドを介して前記排水チャンネルから流体の流れを受けるように配置される、請求項１９のモジュラー型防火フローリングシステム。
【請求項２４】
前記排水管に接続される廃棄物貯蔵タンクを更に具備する、請求項２３のモジュラー型防火フローリングシステム。
【請求項２５】
前記排水管に接続される吹上げポンプを更に具備し、
前記吹上げポンプは、前記排水チャンネルからの流体の流れを増加させるように配置される、請求項２３のモジュラー型防火フローリングシステム。
【請求項２６】
前記フローリング厚板の各々は、第１のカップラおよび第２のカップラを更に具備し、
前記第１および第２のカップラは、前記側壁の反対に配置され、
前記第１および第２のカップラは、隣接のフローリング厚板の前記第２および第１のカップラと、それぞれ、相互接続できるように配置される、請求項１８のモジュラー型防火フローリングシステム。
【請求項２７】
前記第１のカップラは、雄型カップラを具備し、
前記第２のカップラは、雌型カップラを具備し、
前記雌型カップラは、前記雄型カップラを受けるように適合される、請求項２６のモジュラー型防火フローリングシステム。
【請求項２８】
前記雌型カップラは、シールを更に具備する、請求項２７のモジュラー型防火フローリングシステム。
【請求項２９】
前記雄型カップラは、隣接のフローリング厚板が前記フローリング厚板の１つ以上の下方への回転動きによって共に接続されることができるように、上方への曲線を有している、請求項２７のモジュラー型防火フローリングシステム。
【請求項３０】
前記複数のフローリング厚板のフローリング厚板に接続される傾斜を更に具備する、請求項２のモジュラー型防火フローリングシステム。
【請求項３１】
前記複数のフローリング厚板は、前記複数のフローリング厚板のフローリング厚板の前記排水チャンネルの一端が前記排水チャンネルの他端より低くなるように、傾斜を有するフロア表面に配置される、請求項１８のモジュラー型防火フローリングシステム。
【請求項３２】
前記複数のフローリング厚板は、フロア表面の少なくとも一部が前記複数のフローリング厚板の少なくとも一部の上部表面と同じレベルであるように、フロア表面の低い位置に置かれる、請求項１８のモジュラー型防火フローリングシステム。
【請求項３３】
前記複数のフローリング厚板の周辺部に接続されるシールド壁を更に具備し、
前記シールド壁は、前記複数のフローリング厚板の上部表面から上方へ垂直に延びている、請求項１８のモジュラー型防火フローリングシステム。
【請求項３４】
前記複数のフローリング厚板は、空港エプロン、永続的であるか仮設の格納庫、航空母艦のフライトデッキまたは格納庫エリア、石油掘削機、精練所、化学的貯蔵プラント、ＩＢＣ運搬容器収納エリア、メタノール貯蔵タンク下、石油掘削機のドリルフロア、天然ガスの破砕場所または燃料傾斜のうちの１つの少なくとも一部を形成する、請求項１８のモジュラー型防火フローリングシステム。
【請求項３５】
モジュラー型防火フローリングシステムであって：
複数のフローリング厚板を具備し、
各フローリング厚板は、一般に矩形の管であり、
前記フローリング厚板は、内部に形成される複数の孔を有する上部壁、下部壁、側壁、ウェブ、第１のカップラおよび第２のカップラを含み、
前記ウェブは、前記フローリング厚板の長さに沿って下部壁および上部壁の間に延びており、
前記ウェブは、前記フローリング厚板の内部を隣接の排水チャンネルに分け、
前記ウェブは、各々の排水チャンネルの側壁を規定し、
前記第１のカップラは、一方の側壁に配置され、
前記第２のカップラは、他方の側壁に配置され、
前記第１のカップラは、第１の隣接のフローリング厚板の第２のカップラに接続させるように配置され、
前記第２のカップラは、第２の隣接のフローリング厚板の第１のカップラに接続させるように配置される、モジュラー型防火フローリングシステム。
【発明の詳細な説明】
【技術分野】
【０００１】
本出願は、２０１２年１１月１３日に出願された米国仮出願番号第６１／７２５，８１０号からの優先権を主張した非仮出願である。
【０００２】
本開示は、一般に、フローリングパネルに関し、およびより詳しくは、漏洩された引火性又は可燃性の液体を排出し、そしてそれらの発火を防ぐことが可能なモジュラー型フローリングシステムに関する。
【背景技術】
【０００３】
多くの施設において、火災予防は、非常に重要な考慮事項である。石油掘削機、精練所、化学的工場、沖合プラットフォーム、メタノール貯蔵タンクの保管プラットホームまたは航空母艦のような非常に高価な施設に対して、発火をすばやく制御することは、施設の破壊または高額な修理費用を防ぐために緊急になすべきこととなりうる。航空機格納庫、ヘリポートまたは他の燃料ベイのような高価な装置を格納するために使用される施設に対しては、抑えられない火事によって、極めて高額なダメージが即座に生じうる。
【０００４】
これらの施設の多数は、また燃料のような引火性又は可燃性の液体を含むために、フロアに沿って流れた漏洩流体として急速に広がる火災の危険度は強大なものとなりうる。排水システムは安全に引火性又は可燃性の流体を集めることができるが、それらは床にすでにある流体の発火を何ら防ぐものではない。例えば、航空機格納庫は一般的にフロアが傾斜させられており、そして、何らかの漏洩流体は、一般的に格納庫ドアに配置されたドレイン内へと流れ、または溝ドレインの中で洗われることができる。燃料または他の発火性又は可燃性の液体が漏洩した場合、それは発火に対して排出されるが、燃料に露出された全ての床面積は非常にすばやくフロアの広いエリア全体に渡って火を広げる発火となりうる。
【０００５】
単純に言えば、屋外火災事故は、３つの要素が維持されることを必要とする。いわゆる「火災事故トライアングル」は、火災事故を生成しておよび維持する、燃料、酸素および熱を必要とする。トライアングルのどれか一辺の除去は、火災が燃焼を続けることを防ぐ。典型的な防火システム、例えば格納庫および他の施設において使用され、それらは、すでに燃えている火災から酸素または熱を取り除こうとする。典型的な防火システムは、泡防火システム、水スプリンクラ、水放水システム（ｗａｔｅｒ  ｄｅｌｕｇｅ  ｓｙｓｔｅｍｓ）などを含むことができる。しかしなから、流体燃料が供給された火災が拡大するのを防ぐよりむしろ、このようなシステムは一般的に、それらの燃焼を止めるために何らかの燃えている材料を包み込むことに頼るものである。しかしなから、それらが本質的にさかのぼって効を発するのであって、それらが起爆する前にダメージは生じ得る。まだ発火しなかった流体は、発火する前に、フロア中に容易に広がることができる。点火によって、大きなエリアは、炎ですばやくのみ込まれうる。さらにまた、このようなシステムを再充填するコストと同様に起動する泡防火システムからの浄化コストは、大きくなりうる。
【発明の概要】
【０００６】
本開示は、モジュラー型防火フローリングシステムを提供する。モジュラー型防火フローリングシステムは、フローリング厚板（ｐｌａｎｋ）を含むことができ、フローリング厚板は一般に矩形の管であり、フローリング厚板は、上部壁、下部壁、及び側壁を有し、フローリング厚板の内部は排水チャンネル（ｄｒａｉｎ  ｃｈａｎｎｅｌ）を規定し、上壁は内部に形成された複数の排水口（ｄｒａｉｎ  ｈｏｌｅｓ）を有する。
【０００７】
本開示も、モジュラー型防火フローリングシステムを提供する。モジュラー型防火フローリングシステムは複数のフローリング厚板を含むことができる。そして、各々のフローリング厚板は一般に矩形の管である。各々のフローリング厚板は、中に形成された複数の孔を有する上部壁と、下部壁と、側壁と、フローリング厚板の長さに沿った下部壁および上部壁の間に延び、フローリング厚板の内部を隣接の排水チャンネルに分け、各々の排水チャンネルの側壁を規定しているウェブと、一方の側壁に配置される第１のカップラと、他方の側壁に配置される第２のカップラとを含むことができる。第１のカップラは、第１の隣接のフローリング厚板を第２のカップラに接続させるように配置され、第２のカップラは、第２の隣接のフローリング厚板の第１のカップラに接続されるように配置される。
【図面の簡単な説明】
【０００８】
本開示は、付随する図とともに読み込まれるときに、下記の詳細な説明から最良な理解がされる。産業の標準的な技法に従って、さまざまな形態が一定の比率で描画されていないことは強調される。事実、さまざまな形態のディメンションは、任意に増加することができるかまたは考察の明快さのために減らされることができる。
【図１】図１は、本開示の実施形態と整合するモジュラー型防火フローリングシステムのブロックダイヤグラムである。
【図２】図２は、本開示の実施形態と整合するモジュラー型防火フローリングシステムの斜視図である。
【図３】図３は、図２の防火フローリングパネルの横断面図である。
【図４ａ】図４ａは、図２の隣接の防火フローリングパネル間のアタッチメントの横断面図である。
【図４ｂ】図４ｂは、図２の隣接の防火フローリングパネル間のアタッチメントの横断面図である。
【図５】図５は、本開示の実施形態と整合するモジュラー型防火フローリングパネルの斜視図である。
【図６】図６は、図５のモジュラー型防火フローリングパネルの横断面図である。
【図７】図７は、本開示の実施形態と整合する防火フローリングパネルの斜視図である。
【図８】図８は、冷却ダクトを含む本開示の実施形態と整合する防火フローリングパネルの横断面図である。
【図９】図９は、すべらない表面特徴部を有する本開示の実施形態と整合する防火フローリングパネルの斜視図である。
【図１０ａ】図１０ａは、中に含まれるマウント形態を有する本開示の実施形態と整合する防火フローリングパネルの横断面図である。
【図１０ｂ】図１０ｂは、図１０ａのマウント形態用としてのＴボルトの斜視図である。
【図１１ａ】図１１ａは、本開示の実施形態と整合する入口または排水マニホルドを含む防火フローリングシステムの半透明の斜視図である。
【図１１ｂ】図１１ｂは、図１１ａの防火フローリングシステムの部分断面図である。
【図１２】図１２は、傾斜を含む本開示の実施形態と整合する防火フローリングシステムの斜視図である。
【図１３】図１３は、本開示の実施形態と整合する防火フローリングシステムの実施形態を記載する。
【図１４】図１４は、本開示の実施形態と整合する防火フローリングシステムの実施形態を記載する。
【図１５】図１５は、本開示の実施形態と整合する防火フローリングシステムの実施形態を記載する。
【図１６】図１６は、本開示の実施形態と整合する防火フローリングシステムの横断面図を記載する。
【発明を実施するための形態】
【０００９】
下記の開示は、各種実施形態の異なる形態を実行するための、多くの異なる実施形態、または、実施例を提供するものと理解される。コンポーネントおよび配置の具体例は、本開示を単純化するために後述する。これらは、もちろん、単に実施例だけであって、および制限することを目的とされない。加えて、本開示は、さまざまな実施例の参照符号および／または文字を繰り返すことができる。この反復は、単純性および明快さのためであって、議論される各種実施形態および／または構成との関係をそれ自体で規定するものではない。
【００１０】
本開示のいくつかの実施形態において、モジュラー型防火フローリングシステム１０は、図１にて図示するように、複数のフローリング厚板１０１を含む。フローリング厚板１０１は、地表下５に配置されて、隣接のフローリング厚板１０１が連続した上部表面を形成するように配置される。モジュラー型防火フローリングシステム１０の連続した上部表面は、いくつかの実施形態において、例えば限定されるものではないが、航空機格納庫、燃料傾斜（ｆｕｅｌ  ｒａｍｐ）、ドリリングリグプラットホーム（ｄｒｉｌｌｉｎｇ  ｒｉｇ  ｐｌａｔｆｏｒｍ）、工場、化学工場、流体貯蔵区域または潜在的に引火性であるか可燃性の液体が利用されることができる他のいかなる施設のフロアとしても使用されることができる。
【００１１】
フローリング厚板１０１は、後述するように、内部排水チャンネル内に漏洩流体が流れるように上部表面上に複数の排出口を含む。いくつかの実施形態において、排水チャンネルは、例えば、重力によって排水マニホルド２０内に排水するように配置される。いくつかの実施形態において、排水マニホルド２０は、廃棄物貯蔵タンク２４に排水管２２を介して接続され、ここで、例えば、何らかの排出された流体２６はその後の廃棄のために集められることができる。いくつかの実施形態において、廃棄物貯蔵タンク２４は、例えば、モジュラー型防火フローリングシステム１０から流体の排水を補助するように吹上げポンプ（図示せず）を含むことができる。単一の排水管２２および廃棄物貯蔵タンク２４を利用するとして記載され、この開示の利点と関係する分野の当業者は、この開示の範囲内でどちらか１つ以上を利用することができると理解する。
【００１２】
いくつかの実施形態では、モジュラー型防火フローリングシステム１０は、フローリング厚板１０１の排水チャンネルを介してパージング流体３２を流すように配置される入口マニホルド３０（ｉｎｌｅｔ  ｍａｎｉｆｏｌｄ  ３０）を更に含むことができる。パージング流体３２は、モジュラー型防火フローリングシステム１０から何らかの漏洩流体の排水を補助することが可能な流体でありうる。いくつかの実施形態において、パージング流体３２が、例えば限定されるものではないが、水、水性成膜粒子泡の混合物、または泡防火化学に基づく何らかの他の物でありうる。加えて、漏洩流体が引火性であるかまたは可燃性及び能動的に燃焼するものであるときに、パージング流体３２は、フローリング厚板１０１を更に冷却するのに役に立つことができる。パージング流体３２は、いくつかの実施形態において、パージング流体貯蔵タンク３４に保管されることができ、供給管３６を介して入口マニホルド３０に接続されることができる。他の実施形態において、例えば、水がパージング流体３２として使用されるところで、供給管３６は上水道、例えば地方自治体の水道サービスに直接接続されることができる。
【００１３】
いくつかの実施形態において、パージングポンプ３８は、例えば、フローリング厚板１０１の排水チャンネル内にパージング流体３２の流れを増加させるように配置されることができる。単一のパージング流体貯蔵タンク３４、供給管３６およびパージングポンプ３８を利用するとして記載されるけれども、この開示の利点と関係する分野の当業者は、このようなコンポーネントのいくつかはこの開示の範囲内で利用されることができると理解する。さらに、記載されてはいないが、１つ以上の弁はフローリング厚板１０１内にパージング流体３２が流れることを可能にするかまたは防ぐために配置されることができる。いくつかの実施形態において、弁は、手動で作動することができる。他の実施の形態において、例えば、弁は、火災制御システムの部分として、自動的に作動することができる。
【００１４】
図２及び３にて図示するように、典型的なフローリング厚板１０１は、上部表面１０３、下部表面１０５および側壁１０７を含む。上部表面１０３は、１つ以上の直立したウェブ１０９によってフローリング厚板１０１の内部の全体にわたって支持されることができる。図２及び３にて図示するように、３つのウェブ１０９は、フローリング厚板１０１の内部に配置される。この開示の利点と関係する分野の当業者は、多くのウェブ１０９がフローリング厚板１０１の内部に配置されることができると理解する。例えば、図５は２つのウェブ２０９を有するフローリング厚板２０１を記載し、および、図７は単一のウェブ３０９だけを有するフローリング厚板３０１を記載する。この開示の利点と関係する分野の当業者は、ウェブ１０９が同様にフローリング厚板１０１の内部から省略されることができると更に理解する。ウェブ１０９は、フローリング厚板１０１の可搬重量を増加させるために役に立つことができる。
【００１５】
ウェブ１０９は加えて、フローリング厚板１０１を１つ以上の内部のエリアに分けることができる。そして、それは排水チャンネル１１１を形成する。排水チャンネル１１１は、フローリング厚板１０１に沿って走っている。フローリング厚板１０１の上部表面１０３上に漏洩した流体は、排出口１１３を介して排水チャンネル１１１内に排水される。排水チャンネル１１１内に何らかの引火性であるか可燃性の漏洩流体を排出することによって、フロア全体の流体の広がりは、前述のように防がれることができる。
【００１６】
いくつかの実施形態において、図２及び３にて図示するように、排出口１１３は、横断面において円形である。しかしながら、この開示の利点と関係する分野の当業者は、排出口１１３が、円形の断面に限定されるものではないが、矩形、長方形、楕円形などである断面を含む何らかの適切な断面を有して形成されることができると理解する。いくつかの実施形態において、排出口１１３は、例えば、上部表面１０３上に漏洩された流体の排水を促進するように配置される排水プロファイル１１５が形成されることができる。加えて、排水プロファイル１１５は、例えば、排出口１１３を介して流量を増加させる漏斗（ｆｕｎｎｅｌ）として働くことができる。いくつかの実施形態において、図２及び３にて図示するように、排水プロファイル１１５は、丸い横断面が形成されることができる。このような実施形態において、排水プロファイル１１５の丸い断面の半径は、排出口１１３の排水能力に、有意な影響を及ぼすことができる。この開示の利点と関係する分野の当業者は、排水プロファイル１１５が、例えば、上部表面１０３から流体排水を促進するのに適している面取りした面または他のいかなるプロファイルも含んでいる他の横断面を有することができると理解する。いくつかの実施形態において、例えばそれ図２において記載されているように、排出口１１３は、四角パターンにて配置されることができる。この開示の利点と関係する分野の当業者は、排出口１１３の何らかの配置がこの開示の範囲内で利用されることができると理解する。例えば、図７は、フローリング厚板３０１の上部表面３０３に沿って対角線的に配置される排出口３１３を記載する。
【００１７】
いくつかの実施形態において、金属充填材１１９（ｍｅｔａｌ  ｆｉｌｌｅｒ  １１９）は、排水チャンネル１１１の中に配置されることができる。上部表面１１３上に漏洩した流体が排出口１１３を通過した後で、排水チャンネル１１１に入るときに金属充填材１１９を介して流れるように、金属充填材１１９は配置される。金属充填材１１９は、浸透可能で、高い表面積の、金属の低い密度重量のものとして形成される。
【００１８】
金属充填材１１９は、フローリング厚板１０１の表面で酸素から排水チャンネル１１１内の何らかの引火性であるか可燃性の流体を分離するために役に立つことができ、および、それでそれらの点火を防ぐのを助けることができる。さらにまた、フローリング厚板１０１内に流れ込む時に、すでに燃焼している何らかの流体は、金属充填材１１９によって消火されることができる。金属充填材１１９は、例えば、流体が内部で燃焼するにはあまりに小さい、金属充填材１１９のバルク内の小さい空所内に、燃えている液体を分離することができる。加えて、金属が高い熱伝導率を有するので、金属充填材１１９は引火性であるか可燃性の流体から急速に熱を取り除くのに役に立つことができ、それで、例えば、その引火点またはその自然発火温度以下に流体を持ってくることができる。比較的高い引火点または自然発火温度を有する引火性であるか可燃性の流体に対して、金属充填材１１９はその自然発火温度以下に流体を受動的に冷却することができる。それによって、その継続的な燃焼の可能性を軽減するのを助ける。比較的低い自然発火温度、例えばガソリンを有する流体に対して、金属充填材１１９は、排水チャンネル１１１内の流体に達することができる酸素の量を最小化するのに役に立つことができる。いくつかの実施形態において、１つの排出口１１３から延びている何らかの結果となっている炎が隣接の排出口１１３からの蒸気に火をつけることができないように、排出口１１３は十分に離れて遠くに配置されることができる。金属充填材１１９を介して一旦排水された流体は、それで前述のように排水チャンネル１１１を介して流れている。
【００１９】
いくつかの実施形態では、例えば、図２及び３において記載されるように、金属充填材１１９は、穿孔され、発泡させられた金属シートから形成された金属「ウール」から形成されることができる。いくつかの実施形態において、側壁１０７および／またはウェブ１０９は、排水チャンネル１１１内を一般に水平に延びている１つ以上の支持フランジ１１７を含むことができる。流体が排水チャンネル１１１の底部の中を流れるようにする一方、支持フランジ１１７は下部表面１０５より上に金属充填材１１９を支持するように配置されることができる。そして、金属充填材１１９が排水チャンネル１１１内の何らかの流体の流れを妨げることを防ぐ。
【００２０】
他の実施の形態において、例えば、後述する図５及び６において記載されているように、金属充填材２１９は、金属の削りくず、チップ、断片、ワイヤおよび／またはカットを含むことができる。いくつかの実施形態において、図５及び６にて図示するように、フローリング厚板２０１は、金属削りくずから形成される金属充填材２１９を含むことができる。金属削りくずは、先に記載された金属ウールとは異なり、例えば、排出口２１３より小さくなることができ、何らかの流体と共に排水チャンネル２１１で洗い流されるかもしれないので、上部および下部メッシュ２２９ａ、２２９ｂは、それぞれ、金属充填材２１９を抑えるように、フローリング厚板２０１内に含まれることができる。いくつかの実施形態において、支持フランジ２１７ａ、２１７ｂ、２１７ｃは、上下のメッシュ２２９ａ、２２９ｂを支持するように側壁２０７またはウェブ２０９から延びるように配置されることができる。いくつかの実施形態において、上部支持フランジ２１７ａは、上部支持フランジ２１７ａおよび上部表面２０３の間の位置に上部メッシュ２２９ａを保持するように配置されることができる。いくつかの実施形態において、１つ以上の下部フランジ２１７ｂ、２１７ｃは、排水チャンネル２１１の底部より上に下部メッシュ２２９ｂを支持し、および／または、保持するように配置されることができる。従来技術において理解されるように、金属充填材２１９の個々の削りくずが、上部メッシュ２２９ａの場合、例えば排出口２１３を介して引かれ、または、下部メッシュ２２９ｂの場合、排水チャンネル２１１で洗い流されることから防ぐように、上下のメッシュ２２９ａ、２２９ｂは十分小さい開口を有するワイヤスクリーンから形成されることができる。
【００２１】
いくつかの実施形態において、例えば図７において記載されるように、排水チャンネル３１１は、排水チャンネル３１１に対して平行に走る排水チャンネル３１１の下面に配置される１つ以上のリブ３３１を含むことができる。リブ３３１は、例えば、金属充填材が排水チャンネル３１１の中の流体流れを妨げるのを防ぐように、排水チャンネル３１１の底部から、金属充填材（図示せず）の間隔をあけるのに役立つことができる。このような実施形態では、支持フランジは、側壁３０７からもウェブ３０９からも延びる必要がしない。
【００２２】
いくつかの実施形態において、図２及び３において記載されるように、流体が排出口１１３内を流れるのにバイアスをかけるために、上部表面１０３は輪郭を描かれることができる。図３で分かるように、上部表面１０３は、排出口１１３の方へ流体排水を促進するために、連続的に曲線状のプロファイルを有する。この開示の利点と関係する当業者は、上部表面１０３が、この開示の範囲から離れることなく、排出口１１３内に排水するように流体にバイアスをかけるのに適している何らかの輪郭（ｃｏｎｔｏｕｒ）を有することができると理解する。
【００２３】
いくつかの実施形態では、図５及び６において記載されているように、フローリング厚板２０１の上部表面２０３は、同様に、排出口２１３に流体の流れを促進するように配置される１つ以上の表面張力形態を含むことができる。いくつかの実施形態において、表面張力形態は、上部表面２０３および交差している排出口２１３において形成される溝２２７を含むことができる。溝２２７は、例えば、毛管作用によって排出口２１３内に上部表面２０３上の流体を吸い込むのに役立つことができる。この開示の利点と関係する分野の当業者は、他の表面張力形態、例えば面の肌（ｓｕｒｆａｃｅ  ｔｅｘｔｕｒｅｓ）、表面仕上げ、表面コーティングなどが同様に、その範囲から離れることなく、本開示の何らかの実施形態において使用されることができると理解する。
【００２４】
いくつかの実施形態において、フローリング厚板１０１は、隣接のフローリング厚板が相互接続できるように配置される接続形態１２１、１２３を含む。いくつかの実施形態において、例えば図４ａにおいて記載されるように、第１のフローリング厚板１０１上の溝１２１ａは、第２のフローリング厚板１０１’からのトング１２３ａ（ｔｏｎｇｕｅ  １２３ａ）を受けるように配置されることができる。この実施形態において、トング１２３ａは、曲線状のプロファイルを有する。すでに位置している第１のフローリング厚板１０１に第２のフローリング厚板１０１’を取り付けるために、トング１２３ａの曲率は、第２のフローリング厚板１０１’が下方へ回転している動きを介して第１のフローリング厚板１０１をロックできるようする。加えて、トング１２３ａが溝１２１ａ内にロックするように、溝１２１ａはトング１２３ａによって圧縮されるように配置されるシール１２５を含むことができる。シール１２５は、例えば、上部表面１０３上に漏洩された流体が隣接するフローリング厚板１０１、１０１’間を流れるのを防ぐことができる。他の実施の形態において、トング及び溝システムは、代わりに水平に延びることができる。それは隣接のフローリング厚板が単に水平動きを介して接続されるのを可能にする。他の実施の形態において、例えば、図４ｂにおいて記載されるように、トング１２３ｂは成型される「Ｌ」であることができ、そして溝１２１ｂに垂直に接続する。そして、それは隣接のフローリング厚板が単に垂直の動きを介して接続するのを可能にする。
【００２５】
いくつかの実施形態では、例えば、図８において記載されるように、フローリング厚板４０１は、１つ以上の冷却ダクト４３３を更に含むことができる。燃えている流体が排出される一方で、冷却ダクト４３３はフローリング厚板４０１に形成され、フローリング厚板４０１を冷却するように配置されることができる。冷却ダクト４３３は、それで、流体から熱を取り除く能力において金属充填材（図示せず）の効果を増加させることができる。いくつかの実施形態において、冷却ダクト４３３は、ウェブ４０９の部分として形成され、それで隣接の排水チャンネル４１１を冷却することができる。いくつかの実施形態において、冷却ダクト４３３は、例えば、上部表面４０３上の流体が燃焼し続けることを防ぐために、上部表面４０３を冷却するのを助けるように上部表面４０３の近くに配置される。
【００２６】
いくつかの実施形態では、例えば、図９において記載されるように、フローリング厚板５０１は、上部表面５０３上のすべらない形態を含むことができる。例えば、いくつかの実施形態で、１つ以上のすべらない隆起５３５（ｎｏｎ−ｓｌｉｐ  ｒｉｄｇｅｓ  ５３５）は、上部表面５０３の上に形成されることができる。ここでは、断面において三角形状として記載されており、すべらない隆起５３５は上部表面５０３から上方へ延びており、例えば、フローリング厚板５０１の上に立っている車両または人に対して牽引力（ｔｒａｃｔｉｏｎ）を増加させることができる。いくつかの実施形態において、すべらない隆起５３５は、更に牽引力を増加させるためにそこへ形成される切欠き５３７を更に含むことができる。すべらない隆起５３５は、隣接のフローリング厚板５０１の上部表面５０３全体の漏洩流体の広がりを阻害するために、更に役に立つことができる。
【００２７】
図１に関して、いくつかの実施形態において、フローリング厚板１０１は、フローリング厚板１０１およびフロア５の間の留め金具を使用することにより、直接フロア５に固定されることができる。例えば、フローリング厚板１０１は、ネジ付き留め金具、例えばフロア５内に一部のフローリング厚板１０１を通って延びているネジまたはボルトを使用してフロア５に固定されることができる。他の実施形態において、組立てられたフローリング厚板１０１およびその上に配置される何らかの装置の重量は、安定を確実にするために十分なものであることができる。
【００２８】
いくつかの実施形態において、例えばそれ図１０ａにおいて記載されるように、フローリング厚板６０１をロックすることは、ねじ付き部材、例えばボルトのヘッドを受け入れるために配置されるスロット６３９を含むことができる。いくつかの実施形態において、ねじ付き部材は、Ｔ−ボルト６４１であることができる。図１０ｂにて図示するように、Ｔ−ボルト６４１は、ボルト頭６４３およびねじ付きシャンク６４５を含む。ボルトの頭６４３は、通常、断面において矩形である。スロット６３９の幅は、ボルト頭６４３のより狭い幅より広いが、ボルト頭６４３のより広い幅より狭いように選ばれる。それで、フローリング厚板６０１をロックすることをインストールするために、ボルト頭６４３は、スロット６３９の中にすべり込むことができ、そして９０度回転させる。ナット６４９は、それで、ねじ付きシャンク６４５上へねじ締めし、フロア５にフローリング厚板６０１をロックするように固定するために締め付けられる。いくつかの実施形態において、座金６４７は、例えば、フロア５のより広い部分に渡ってＴ−ボルト６４１からの圧縮荷重を広げるために含まれることができる。いくつかの実施形態において、１つ以上のロックしているフローリング厚板は、図１にて図示されるように、フローリング厚板１０１に含まれる。そして、フローリング厚板１０１がフロア５のまわりで動かないことを確実にする。
【００２９】
いくつかの実施形態において、各々のフローリング厚板の下側は、フロアに渡って動きを防ぐ形態を含むことができ、限定されるものではないが、隆起（ｒｉｄｇｅｓ）、足（ｆｅｅｔ）または厚板が配置されることになっているフロア表面とかみ合うように構成されるパターンを含む。
【００３０】
フローリング厚板１０１の排水チャンネルの端が排水および入口マニホルド２０、３０の内部に開いているように、排水および入口マニホルド２０、３０はフローリング厚板１０１の端に接続することができる。図１１ａ、１１ｂは、本開示の実施形態と整合した入口または排水マニホルドを記載する。以下の説明のために、入口マニホルド３０として、マニホルドが記載される。記載されるように、入口マニホルド３０はフローリング厚板７０１に接続される。入口マニホルド３０はパージング流体供給タンクからパージング流体を受けるために配置される入口７０３を含む（図１を参照。）。パージ運転において、パージング流体は入口マニホルド３０の内部７０４に入り、そしてフローリング厚板７０１の排水チャンネルと位置合わせされた開口７０５を介して流れる。パージング流体は排水チャンネルを介して流れ、そして、例えば、フローリング厚板７０１から何らかの漏洩流体を洗い出すのに役に立つ。パージング流体は、また、例えば、金属充填材から何らかの漏洩流体を追い出す。加えて、パージング流体は、火災の間と後にフローリング厚板７０１を冷却するのに役立つことができる。パージング流体がフローリング厚板７０１の排水チャンネルの中に残存するので、パージング流体はフローリング厚板７０１の表面上を流れない。そして、それは、例えば、洗われた引火性であるか可燃性の流体でフローリング厚板７０１が人が滑べりやすいなどのパージ運転による影響を受けることなく、人がフローリング厚板７０１の上に立ち続けることを可能にする。
【００３１】
いくつかの実施形態において、入口マニホルド３０は、端カップラ７０７によってフローリング厚板７０１に接続される。端カップラ７０７は何らかの適当な手段によってフローリング厚板７０１に接続することができる。そして、それは図１１ａ、１１ｂにて示すように、ボルト７０９のようなねじ付きコネクタによるものを含む。いくつかの実施形態において、端カップラ７０７は、上記のようにトング及び溝カップラ７１１を介して入口マニホルド３０に接続させることができる。いくつかの実施形態において、シール（図示せず）は、一つ以上の入口マニホルド３０、端カップラ７０７およびフローリング厚板７０１の間に配置されることができる。いくつかの実施形態において、入口マニホルド３０は、また、フローリング厚板から向側で補助のトング及び溝カップラ７１３を含むことができる。補助トング及び溝カップラ７１３は、いくつかの実施形態において、他のモジュラーユニットを入口マニホルド３０に接続させるために使用されることができる。モジュラーユニットは、入口マニホルド３０と背中合わせで第２の入口または排水マニホルド（図示せず）を含むことができる。他の実施形態において、図１１ａ、１１ｂに示すように、モジュラーユニットは、例えば、車両がフローリング厚板７０１上でスムーズに転がることができるように配置されたアクセス傾斜７１５を含むことができる。いくつかの実施形態では、例えば、図１２において記載されるように、端カップラ７０７は、直接、フローリング厚板７０１をアクセス傾斜７１５に接続させるように使用されることができる。このような実施形態では、フローリング厚板７０１の排水チャンネルは、直接、溝排水７１７へ排水することができる。トング及び溝カップラ７１１がシステム中の全てのコンポーネントに対して同じものであることができるときに、この開示の利点と関係する分野の当業者は、モジュラーコンポーネントの何らかの構成がこの開示の範囲内で構成されることができると理解する。
【００３２】
さらに、フローリング厚板７０１が何らかの長さで形成されることができ、何らかの相当な数で並んで配置されることができ、複数の異なる構成はインスタレーションの特定の必要性に合わせて調整されて構成されることができる。例えば、図１３は、隣接のフローリングセクション８０３を含んでいるモジュラー型防火フローリングシステム８０１を記載する。各々のフローリングセクション８０３は、共通の溝排水８０５内へと前述のように排出される複数の平行フローリング厚板（明確にするため図示せず）を含むことができる。いくつかの実施形態において、各々のフローリングセクション８０３は、車両のための、ここではジェット戦闘機８５０として記載されており、別個の駐車または燃料傾斜として使用されることができる。モジュラー型防火フローリングシステム８０１は、例えば限定されるものではないが、空港エプロン（駐機所）上に、永続又は仮設の格納庫において、航空母艦のデッキまたは格納庫エリアに、ヘリポート等の上に位置することができる。
【００３３】
他の実施形態において、２つの隣接のフローリングセクション８０３は、それら間を走る共通の溝排水内に排出するように配置されることができる。このような配置を有するいくつかの実施形態において、隣接のフローリングセクション８０３間の他のインタフェースは、代わりに背中合わせの入口マニホルドを有することができる。他の実施の形態において、共通の入口マニホルドは、隣接のフローリングセクション８０３をパージするように含まれることができる。
【００３４】
各々のフローリングセクション８０３は、パージ流体の供給への別個の弁で調節された接続を含むことができ、それで独立してパージされることができる。いくつかの実施形態において、アクティブな漏洩状況を有するフローリングセクション８０３だけを別にパージすることは、それを通して最大限のパージング流体流れを可能とし、ここで同時に全てのフローリングセクション８０３をパージすることは、パージングにとって不十分な流体に結果としてなりうる。いくつかの実施形態において、フローリングセクション８０３は、独立してパージ可能なサブセクションに更に分けられることができる。そして、それは流体流れをパージする更なる集中を可能にする。いくつかの実施形態において、フローリングセクション８０３は、例えば、大規模な漏洩または発火された漏洩が起こっていない時でさえも、何らかの残留または小規模な流体の漏洩をパージするように、ルーチン的にパージされることができる。
【００３５】
いくつかの実施形態において、モジュラー型防火フローリングシステムは、フロア自体の統合された部分として形成されることができる。例えば、図１４は、フロア９０３の表面に沈み込むか又は同じ高さにあるようなモジュラー型防火フローリングシステム９０１を記載する。フロア９０３は、例えば限定されるものではないが、航空機格納庫のコンクリートスラブフロア（ｃｏｎｃｒｅｔｅ  ｓｌａｂ  ｆｌｏｏｒ）であることができ、または、空港エプロンのコンクリートまたはタールマックフロア（ｃｏｎｃｒｅｔｅ  ｏｒ  ｔａｒｍａｃ  ｆｌｏｏｒ）であることができる。この構成では、傾斜は、車両がモジュラー型防火フローリングシステム９０１の上にあることを許容するため、必要ではない。さらにまた、例えば限定されるものではないが、貨物輸送機９０５のような大型の航空機の翼の下に位置する燃料傾斜（ｆｕｅｌｉｎｇ  ｒａｍｐ）のような特定の必要性に合わせてモジュラー型防火フローリングシステム９０１を調整することによって、モジュラー型防火フローリングシステム９０１をインストールするコストおよび材料は、図１４の実施例における下部の燃料充填ポートのような漏洩にセンシティブなエリアにしながら、なおカバーされるようにすることによって最小化されることができる。
【００３６】
他の実施の形態において、モジュラー型防火フローリングシステムは、化学的貯蔵基地の部分として使用されることができる。図１５にて図示するように、化学的貯蔵基地１００１は、モジュラー型防火フローリングシステム１００３を含むことができる。モジュラー型防火フローリングシステム１００３は、例えば、側から化学的貯蔵容器１００７をシールドするように、化学的貯蔵容器１００７（例えばＩＢＣ運搬コンテナ、メタノール貯蔵タンクなど）の転倒（ｔｏｐｐｌｉｎｇ）を防ぐように、および、モジュラー型防火フローリングシステム１００３内の化学的貯蔵容器１００７からの何らかの漏洩を含むように配置された１つ以上の側壁１００５または背面壁（図示せず）を含むことができる。例えば、いくつかの実施形態において、傾斜１００９は、車両が例えば化学的貯蔵容器１００７に対するフォークリフトアクセスを可能にするように含まれることができる。
【００３７】
いくつかの実施形態において、図１に関して、従来技術において理解されるように、一つ以上のフローリング厚板１０１、排水マニホルド２０、入口マニホルド３０およびアクセス傾斜（前述のように）は、押出によって形成されることができる。このような何らかのコンポーネントを製造するために、金属は、例えば、要望通りに、表面輪郭（ｓｕｒｆａｃｅ  ｃｏｎｔｏｕｒｓ）、反スリップ隆起（ａｎｔｉ−ｓｌｉｐ  ｒｉｄｇｅｓ）、冷却チャンネル、支持フランジ、マウントチャンネル（ｍｏｕｎｔｉｎｇ  ｃｈａｎｎｅｌｓ）、および／または、溝を含んでいるコンポーネントの断面に対応する成形型の中に圧入される。例えば図９の横断の切欠きを形成するために、ローラーは、いくつかの実施形態において、コンポーネントをそれが押し出されたときで熱成形するように配置されることができる。このように、各々の部材は、設置場所に移送のために実際的な何らかの長さにて形成されることができる。排出口は、いくつかの実施形態において、フローリング厚板の上部表面を通過する孔を形成し仕上げ処理をするために、ドリリング、ミリング、穿孔（ｔｒｅｐａｎｎｉｎｇ）、又は、従来技術の何らかの他の方法によって形成されることができる。
【００３８】
さらにまた、一般に矩形の断面を有するように全体に議論されているが、この開示の利点と関係する分野の当業者は、フローリング厚板の排水チャンネルのプロファイルが矩形であることを要しないことを理解する。例えば、図１６は、先細側壁１１０３および先細ウェブ１１０５を有するフローリング厚板１１０１を記載する。排水チャンネル１１０７は、従って断面において三角形である。この開示の利点と関係する分野の当業者は、排水チャンネルが丸くなることができるか、三角であることができるか、または、この開示の範囲から離れることなく、他のいかなるプロファイルでもあることができると理解する。
【００３９】
当業者が本開示の態様をよりよく理解することができるように、前述のいくつかの実施形態の概説をする。このような形態は、多数の同等物代替物のどれとも交換されることができる。それらのいくつかがここで開示されたというだけである。当業者は、同じ目的、および／または、ここで導入された実施形態の同じ利点の達成を実行するために、他のプロセスおよび構造を設計するかまたは修正するのに、基礎として本開示を容易に使用することができると認めなければならない。当業者は、また、このような同等物の構成が本開示の趣旨および範囲から逸脱しないこと、および、それらが多様な変更、代替および修正をすることが本開示の趣旨および範囲から逸脱することなくできることを認識しなければならない。
【図１】
2016504505.tif 000003
【図２】
2016504505.tif 000004
【図３】
2016504505.tif 000005
【図４ａ】
2016504505.tif 000006
【図４ｂ】
2016504505.tif 000007
【図５】
2016504505.tif 000008
【図６】
2016504505.tif 000009
【図７】
2016504505.tif 000010
【図８】
2016504505.tif 000011
【図９】
2016504505.tif 000012
【図１０ａ】
2016504505.tif 000013
【図１０ｂ】
2016504505.tif 000014
【図１１ａ】
2016504505.tif 000015
【図１１ｂ】
2016504505.tif 000016
【図１２】
2016504505.tif 000017
【図１３】
2016504505.tif 000018
【図１４】
2016504505.tif 000019
【図１５】
2016504505.tif 000020
【図１６】
2016504505.tif 000021
【国際調査報告】
2016504505.tif 000022